(57)【要約】  空気調和機の室内機は、前面が開口した箱状の背面ケースと、前記背面ケースの前面に接合された前面ケースと、を有する本体を備え、前記前面ケースの下面の、前記背面ケースと前記前面ケースとの接合部分とは離れた位置に、下方に突出した段差が形成されたものである。
2017033241.tif 000002
【特許請求の範囲】
【請求項１】
前面が開口した箱状の背面ケースと、
前記背面ケースの前面に接合された前面ケースと、
を有する本体を備え、
前記前面ケースの下面の、前記背面ケースと前記前面ケースとの接合部分とは離れた位置に、下方に突出した段差が形成された
空気調和機の室内機。
【請求項２】
前記段差は、前記前面ケースの幅方向に沿って延びるように形成された
請求項１に記載の空気調和機の室内機。
【請求項３】
前記段差は、前記前面ケースの幅方向の長さが、前記前面ケースの幅よりも短い
請求項１又は２に記載の空気調和機の室内機。
【請求項４】
前記段差は、前記前面ケースの幅方向に複数形成された
請求項１〜３の何れか一項に記載の空気調和機の室内機。
【請求項５】
前記本体の内部に設けられたファンを備え、
前記前面ケースの下面に、前記ファンから送風された空気を吹き出す吹出口が形成され、
前記前面ケースの下面の、前記段差と前記吹出口との間に、平坦に形成された平坦部を含む
請求項１〜４の何れか一項に記載の空気調和機の室内機。
【請求項６】
前面が開口した箱状の背面ケースと、
前記背面ケースの前面に接合された前面ケースと、
を有する本体を備え、
前記背面ケースの下面の、前記背面ケースと前記前面ケースとの接合部分とは離れた位置に、下方に突出した段差が形成された
空気調和機の室内機。
【請求項７】
前記段差は、前記背面ケースの幅方向に沿って延びるように形成された
請求項６に記載の空気調和機の室内機。
【請求項８】
前記段差は、前記背面ケースの幅方向の長さが、前記背面ケースの幅よりも短い
請求項６又は７に記載の空気調和機の室内機。
【請求項９】
前記段差は、前記背面ケースの幅方向に複数形成された
請求項６〜８の何れか一項に記載の空気調和機の室内機。
【請求項１０】
前記段差の高さは、４ｍｍ以上１０ｍｍ以下である
請求項１〜９の何れか一項に記載の空気調和機の室内機。
【請求項１１】
前記段差は、前記接合部分よりも１０ｍｍ以上離れた位置に形成されている
請求項１〜１０の何れか一項に記載の空気調和機の室内機。
【発明の詳細な説明】
【技術分野】
【０００１】
本発明は、壁面に設置される空気調和機の室内機に関する。
【背景技術】
【０００２】
従来の空気調和機の室内機においては、例えば、骨組みである枠体本体と、この枠体本体のそれぞれの面に設置された、側面パネル、正面開閉パネル、Ｌ型パネルおよび下面パネルと、を有し、下面パネルが枠体本体の下面よりも下方に突出しているものが提案されている（例えば、特許文献１参照）。
【先行技術文献】
【特許文献】
【０００３】
【特許文献１】特許第５３８８９９８号公報
【発明の概要】
【発明が解決しようとする課題】
【０００４】
空気調和機の室内機を壁面に設置する際には、壁面に取り付けられた据付板に室内機の本体の背面を引っ掛けることで、室内機を壁面に固定する。このような設置作業においては、作業者は、室内機の上部を据付板に引っ掛けた状態で、室内機の下部を壁面とは離れる方向に引き上げる。そして、室内機の下面と壁面との間に据付用の支え棒などを配置することで室内機を壁面から引き上げた状態を保持し、配管接続などの作業を行う。【０００５】
しかしながら、特許文献１に記載の空気調和機の室内機は、下面パネルと枠体本体との接合部分が枠体本体の下面よりも下方に突出しており、設置作業において、作業者の手及び設置用の支え棒などが下面パネルと枠体本体との接合部分に当たる。このため、下面パネルと枠体本体との接合部分に力がかかり、下面パネルが枠体本体から外れてしまう、という課題がある。【０００６】
本発明は、上記のような課題を解決するためになされたもので、室内機を壁面に設置する際の作業性を向上することができる空気調和機の室内機を得るものである。
【課題を解決するための手段】
【０００７】
本発明に係る空気調和機の室内機は、前面が開口した箱状の背面ケースと、前記背面ケースの前面に接合された前面ケースと、を有する本体を備え、前記前面ケースの下面の、前記背面ケースと前記前面ケースとの接合部分とは離れた位置に、下方に突出した段差が形成されたものである。
【発明の効果】
【０００８】
本発明に係る空気調和機の室内機は、背面ケースの下面の、背面ケースと前面ケースとの接合部分とは離れた位置に、下方に突出した段差が形成されている。
このため、室内機を壁面に設置する際に作業者は段差に指を掛けて室内機を引き上げることができる。また、室内機を引き上げた状態で段差と壁面との間に設置用の支え棒などを取り付けることができ、引き上げた状態を保持できる。よって、室内機を壁面に設置する際の作業性を向上することができる。
また、背面ケースと前面ケースとの接合部分に力が掛かることを抑制でき、前面ケースが背面ケースから外れることを抑制できる。
【図面の簡単な説明】
【０００９】
【図１】実施の形態１における空気調和機の室内機の外観を示す斜視図である。
【図２】図１の室内機の側面を模式的に示す分解図である。
【図３】図１の室内機の背面を模式的に示す図である。
【図４】図１の室内機の縦断面を模式的に示す図である。
【図５】実施の形態１における空気調和機の室内機の設置方法を説明する図である。
【図６】実施の形態１における空気調和機の室内機の段差を模式的に示す縦断面である。
【図７】実施の形態１における空気調和機の室内機の気流を説明する縦断面である。
【図８】図７の要部拡大図である。
【図９】実施の形態１における空気調和機の室内機の変形例１を模式的に示す縦断面である。
【図１０】実施の形態１における空気調和機の室内機の変形例１の気流を説明する縦断面である。
【図１１】実施の形態１における空気調和機の室内機の変形例２を模式的に示す背面図である。
【図１２】実施の形態１における空気調和機の室内機の変形例３を模式的に示す縦断面図である。
【図１３】実施の形態２における空気調和機の室内機の段差を模式的に示す縦断面である。
【図１４】実施の形態２における空気調和機の室内機の変形例１を模式的に示す縦断面である。
【図１５】実施の形態２における空気調和機の室内機の変形例２を模式的に示す縦断面図である。
【発明を実施するための形態】
【００１０】
実施の形態１．
以下、本実施の形態１における空気調和機の室内機の構成を、図を用いて説明する。なお、以下説明において、空気調和機の室内機を、単に「室内機」と称する場合がある。
【００１１】
図１は、実施の形態１における空気調和機の室内機の外観を示す斜視図である。図２は、図１の室内機の側面を模式的に示す分解図である。
室内機の本体１は、空調される部屋１１の壁面１１ａに設置される。本体１は、前面ケース１ｅと背面ケース１ｆとで構成される。背面ケース１ｆは、前面が開口した箱状に形成されている。前面ケース１ｅは背面ケース１ｆの前面に接合されている。例えば、前面ケース１ｅの背面側と背面ケース１ｆとが嵌合する。なお、前面ケース１ｅと背面ケース１ｆとの接合方法はこれに限定されない。例えば接着による接合でも良いし、ビス止めによる接合でも良い。
【００１２】
本体１の前面１ａ側には、前面グリル６が取り付けられている。この前面グリル６は前面ケース１ｅに着脱可能に取り付けられている。前面グリル６には、本体１の幅方向に、空気が流通する開口である吸込開口部２ａが形成されている。前面ケース１ｅは、上面１ｂ側に、空気か流通する開口である上部吸込口２ｂが形成されている。
前面ケース１ｅの下面１ｅｂを含む下方には、空気が吹き出される吹出口３が形成されている。前面ケース１ｅの吹出口３の下部は下アゴ部１０ａによって形成されている。つまり、下アゴ部１０ａは、前面ケース１ｅと一体形成されており、前面ケース１ｅの背面側の下端を構成する。下アゴ部１０ａは、背面ケース１ｆと接合される。なお、下アゴ部１０ａを前面ケース１ｅとは別体で構成しても良い。吹出口３には、上下風向ベーン４ａと、後述する左右風向ベーン４ｂとが設けられている。
【００１３】
前面ケース１ｅの下面１ｅｂには、下方に突出した段差５０が形成されている。この段差５０は、背面ケース１ｆと前面ケース１ｅとの接合部分１０ｂとは離れた位置に形成されている。
背面ケース１ｆは、背面１ｄ側が壁面１１ａに取り付けられる。背面ケース１ｆの上面１ｂ側には、空気が流通する上部吸込口２ｂが形成されている。また、背面ケース１ｆの内部には、ガイドウォール１０が形成されている。
【００１４】
図３は、図１の室内機の背面を模式的に示す図である。
図３に示すように、前面ケース１ｅの下面１ｅｂに形成された段差５０は、背面ケース１ｆの下面１ｆｂよりも下方に突出している。また、段差５０は、前面ケース１ｅの幅方向に沿って延びるように形成されている。
【００１５】
図４は、図１の室内機の縦断面を模式的に示す図である。
図４に示すように、本体１の内部には、空気を送風するファン８が配設されている。ファン８は、吸込開口部２ａ及び上部吸込口２ｂから吸込側流路Ｅ１に空気を吸込み、吹出口３側の吹出側流路Ｅ２へ空気を吹き出す。ファン８は、例えば、貫流ファン、軸流ファンなど任意のファンで構成される。ファン８の上流側には、冷媒と空気との熱交換を行う熱交換器７が配設されている。吸込開口部２ａ及び上部吸込口２ｂと、熱交換器７との間には、ホコリを除塵するフィルタ５が配設されている。背面ケース１ｆには、ファン８の吹出側に、渦巻状のガイドウォール１０が形成されている。ガイドウォール１０の背面１ｄ側には室外機と接続される冷媒配管１２が収納されている。
【００１６】
前面ケース１ｅには、吸込側流路Ｅ１と吹出側流路Ｅ２とを分離する舌部９ａが形成されている。また、前面ケース１ｅの舌部９ａの前面側には、熱交換器７から滴下される水滴を一時貯水するドレンパン９ｂが形成されている。また、吹出口３には、上下方向に回動自在な上下風向ベーン４ａと、左右方向に回動自在な左右風向ベーン４ｂとが設けられている。吹出口３は、本体１の前面１ａ側の下方に開口している。吹出口３は、上部壁を舌部９ａのディフューザー３ａ、側部壁をディフューザー３ａから連続して延びる垂直面で構成している。また、吹出口３は、下面をガイドウォール１０で構成し、下流端部を下アゴ部１０ａで構成している。
【００１７】
次に、室内機を部屋１１の壁面１１ａに設置する設置方法について説明する。
図５は、実施の形態１における空気調和機の室内機の設置方法を説明する図である。
なお、図５においては、室内機の下部を壁面１１ａとは離れる方向に引き上げた状態を示している。なお、図５では本体１の縦断面を模式的に示している。
図５に示すように、室内機を壁面１１ａに設置する際には、予め、据付板１３を壁面１１ａに取り付ける。そして、据付板１３に室内機の本体１の背面１ｄを引っ掛けることで、室内機を壁面１１ａに吊り下げる。
室内機の下部を壁面１１ａとは離れる方向に引き上げる場合、作業者は、室内機の背面１ｄ側の上部を据付板１３に引っ掛けた状態で、前面ケース１ｅの下面１ｅｂに形成された段差５０に指を掛けて室内機を引き上げる。
そして、室内機を引き上げた状態で段差５０と壁面１１ａとの間に設置用の支え棒１４などを取り付けて、室内機を壁面１１ａから引き上げた状態を保持する。
【００１８】
作業者は、室内機を壁面１１ａから引き上げた状態において、例えば室外機との配管接続及び配線接続などの作業を行う。
その後、作業者は、室内機の段差５０と壁面との間に配置した据付用の支え棒１４を取り外し、前面ケース１ｅの下面１ｅｂに形成された段差５０に指を掛けて室内機を壁面１１ａ側へ移動させ、室内機の本体１を据付板１３に固定する。
【００１９】
次に、前面ケース１ｅの下面１ｅｂに形成された段差５０の詳細構成を説明する。
図６は、実施の形態１における空気調和機の室内機の段差を模式的に示す縦断面である。なお、図６は、本体１の吹出口３の位置における縦断面を拡大して示している。なお、図６においては、紙面の左右方向が室内機の本体１の奥行方向を示し、紙面の上下方向が本体１の高さ方向を示す。
図６に示すように、前面ケース１ｅの下面１ｅｂには、下方に突出した段差５０が形成されている。この段差５０の高さＨｄは、作業者の指が引っ掛かる程度の高さが望ましい。また、段差５０の高さＨｄは、設置用の支え棒１４などが引っ掛かる程度の高さが望ましい。好ましくは、段差５０の高さＨｄは、４ｍｍ以上が良い。一方、段差５０の高さＨｄが大きすぎると本体１の寸法が増加してしまう。また、段差５０の高さＨｄが大きすぎると意匠性が低下する。このことから段差５０の高さＨｄは、大きすぎないことが望ましい。好ましくは、段差５０の高さＨｄは、１０ｍｍ以下が良い。よって、本実施の形態１の空気調和機の室内機においては、段差５０の高さＨｄは、４ｍｍ以上１０ｍｍ以下に形成する。また、段差５０は、背面ケース１ｆと前面ケース１ｅとの接合部分１０ｂとは離れた位置に形成されている。段差５０と接合部分１０ｂとの距離Ｌｄは、背面ケース１ｆと前面ケース１ｅとの接合部分１０ｂに、作業者の指又は設置用の支え棒１４などが引っ掛からない程度の距離が望ましい。好ましくは、段差５０と接合部分１０ｂとの距離Ｌｄは、１０ｍｍ以上が良い。
【００２０】
また、下アゴ部１０ａの下面は、段差５０と下アゴ部１０ａの先端１０ａ１との間に、平坦に形成された平坦部１０ａ２を有している。即ち、平坦部１０ａ２は、前面ケース１ｅの下面１ｅｂのうち、段差５０と吹出口３との間に所定距離で形成されている。なお、段差５０と下アゴ部１０ａの先端１０ａ１との間の全てが平坦で無くても良く、少なくとも一部が平坦に形成されていればよい。
【００２１】
次に、段差５０と吹出口３との間に形成された平坦部１０ａ２の作用を説明する。
図７は、実施の形態１における空気調和機の室内機の気流を説明する縦断面である。図８は、図７の要部拡大図である。なお、図７、図８は、本体１の吹出口３の位置における縦断面を模式的に示している。
図７に示すように、ファン８によって吹出側流路Ｅ２へ吹き出された空気は、ガイドウォール１０によって吹出口３へ導かれ、吹出気流２０となって吹出口３から吹き出される。この吹出気流２０の流れによって、部屋１１内の空気が誘引され、本体１の下方において壁面１１ａ側から吹出口３側へ流れる誘引気流３０が生じる。そして、この誘引気流３０は、吹出気流２０に合流する。
【００２２】
図８に示すように、誘引気流３０は、背面ケース１ｆの下面１ｆｂ及び前面ケース１ｅの下面１ｅｂに沿って流れる。そして誘引気流３０が段差５０に当たると、一部は下方へ向けて流れる。即ち、誘引気流３０は、下アゴ部１０ａの先端１０ａ１から平坦部１０ａ２の距離を隔てた段差５０において、下方へと向きを変える。これにより、誘引気流３０は、下アゴ部１０ａの先端１０ａ１よりも下方の位置で徐々に吹出気流２０と合流する。
【００２３】
以上のように本実施の形態１においては、室内機は、前面が開口した箱状の背面ケース１ｆと、背面ケース１ｆの前面に接合された前面ケース１ｅとを有する本体１を備え、前面ケース１ｅの下面１ｅｂの、背面ケース１ｆと前面ケース１ｅとの接合部分１０ｂとは離れた位置に、下方に突出した段差５０が形成されている。
このため、室内機を壁面１１ａに設置する際に作業者は段差５０に指を掛けて室内機を引き上げることができる。また、室内機を引き上げた状態で段差５０と壁面１１ａとの間に設置用の支え棒１４などを取り付けることができ、室内機を壁面１１ａから引き上げた状態を保持できる。よって、室内機を壁面１１ａに設置する際の作業性を向上することができる。従って、作業者による配管接続ミスなどを防止することができる。また、設置用の支え棒１４などで室内機を引き上げた状態に保持するので、一人での設置作業ができる。
また、背面ケース１ｆと前面ケース１ｅとの接合部分１０ｂに力が掛かることを抑制でき、前面ケース１ｅが背面ケース１ｆから外れることを抑制できる。
【００２４】
また本実施の形態１においては、段差５０は、前面ケース１ｅの幅方向に沿って延びるように形成されている。
このため、室内機の本体１の幅方向の任意の位置において、作業者は段差５０に指を引っ掛けることができる。また、室内機の本体１の幅方向の任意の位置において、設置用の支え棒１４を取り付けることができる。
【００２５】
また本実施の形態１においては、段差５０の高さＨｄは、４ｍｍ以上１０ｍｍ以下である。
このため、段差５０に作業者の指を引っ掛けて、室内機を壁面１１ａから引き上げることができる。また、段差５０に設置用の支え棒１４などを引っ掛けて、室内機を壁面１１ａから引き上げた状態に保持できる。
【００２６】
また本実施の形態１においては、段差５０は、接合部分１０ｂよりも１０ｍｍ以上離れた位置に形成されている。
このため、背面ケース１ｆと前面ケース１ｅとの接合部分１０ｂに力が掛かることを抑制でき、前面ケース１ｅが背面ケース１ｆから外れることを抑制できる。
【００２７】
また本実施の形態１においては、前面ケース１ｅの下面１ｅｂの、段差５０と吹出口３との間に、平坦に形成された平坦部１０ａ２を含んでいる。
このため、下アゴ部１０ａの先端１０ａ１から平坦部１０ａ２の距離を隔てた段差５０において、誘引気流３０の一部を下方へと向きを変えることができる。よって、誘引気流３０の一部を下アゴ部１０ａの先端１０ａ１よりも下方で吹出気流２０と合成させることができ、下アゴ部１０ａの先端１０ａ１において吹出気流２０に合流する誘引気流３０の量を減らすことができる。
従って、冷房運転時において、下アゴ部１０ａの結露を抑制することができる。即ち、下アゴ部１０ａの先端１０ａ１において、誘引気流３０の空気に含まれる水分が冷却によって凝縮する量を低減でき、下アゴ部１０ａに付着する結露の量を低減できる。
【００２８】
なお、段差５０の一部のみが接合部分１０ｂと離れた位置に形成されていてもよい。例えば、前面ケース１ｅの幅方向に沿って延びる段差５０において、段差５０と接合部分１０ｂが奥行き方向で離れている部分と、段差５０と接合部分１０ｂが奥行き方向で一致している部分とがあってもよい。この場合、段差５０と接合部分１０ｂが奥行き方向で離れている部分において、上述した効果と同様の効果を奏することができる。
【００２９】
（変形例１）
図９は、実施の形態１における空気調和機の室内機の変形例１を模式的に示す縦断面である。
段差５０の形状は、下方に垂直に突出した形状に限定されず、任意の形状とすることができる。例えば、図９に示すように、段差５０の形状は、本体１の前面側に向かって傾斜した形状でも良い。また、段差５０は、断面が直線状に限らず、断面が曲線状に形成されていても良い。つまり、段差５０に作業者の指を引っ掛けることが可能な形状であればよい。また、段差５０に設置用の支え棒１４などを引っ掛けることが可能な形状であればよい。
このような構成においても上述した効果と同様の効果を奏することができる。
【００３０】
図１０は、実施の形態１における空気調和機の室内機の変形例１の気流を説明する縦断面である。
図１０に示すように、この変形例１においても、前面ケース１ｅの下面１ｅｂの、段差５０と吹出口３との間に、平坦に形成された平坦部１０ａ２を含んでいる。
このため、下アゴ部１０ａの先端１０ａ１から平坦部１０ａ２の距離を隔てた段差５０において、誘引気流３０の一部を下方へと向きを変えることができる。
このような構成においても上述した効果と同様の効果を奏することができる。
【００３１】
（変形例２）
図１１は、実施の形態１における空気調和機の室内機の変形例２を模式的に示す背面図である。
段差５０は、前面ケース１ｅの幅方向の長さが、前面ケース１ｅの幅よりも短くても良い。また、段差５０は、前面ケース１ｅの幅方向に複数形成しても良い。
例えば、図１１に示すように、前面ケース１ｅの幅よりも短い２つの段差５０を、離して形成しても良い。段差５０の幅方向の長さを、例えば少なくとも作業者の１本分の指の幅程度の長さに形成しても良い。また、２つの段差５０を、前面ケース１ｅの幅方向の左右の端部近傍にそれぞれ設けることで、作業者が両手の指をそれぞれ段差５０に引っ掛けることができる。
このような構成においても上述した効果と同様の効果を奏することができる。
【００３２】
（変形例３）
図１２は、実施の形態１における空気調和機の室内機の変形例３を模式的に示す縦断面図である。
図１２に示すように、上述した段差５０に代えて、前面ケース１ｅの下面１ｅｂに、接合部分１０ｂの下端よりも上方に凹んだ溝６０を形成しても良い。
即ち、変形例３における空気調和機の室内機は、前面が開口した箱状の背面ケース１ｆと、背面ケース１ｆの前面に接合された前面ケース１ｅとを有する本体１を備え、前面ケース１ｅの下面１ｅｂの、背面ケース１ｆと前面ケース１ｅとの接合部分１０ｂとは離れた位置に、上方に凹んだ溝６０が形成されたものである。
このような構成においても、作業者の指又は設置用の支え棒１４などを溝６０に引っ掛けることができ、上述した効果と同様の効果を奏することができる。
【００３３】
実施の形態２．
本実施の形態２においては、背面ケース１ｆの下面１ｆｂに段差５０が形成されている構成について説明する。
なお、上記実施の形態１と同じ構成には同じ符号を付する。以下、上記実施の形態１との相違点を中心に説明する。
【００３４】
図１３は、実施の形態２における空気調和機の室内機の段差を模式的に示す縦断面である。なお、図１３においては、紙面の左右方向が室内機の本体１の奥行方向を示し、紙面の上下方向が本体１の高さ方向を示す。
図１３に示すように、背面ケース１ｆの下面１ｆｂには、下方に突出した段差５０が形成されている。この段差５０は、背面ケース１ｆと前面ケース１ｅとの接合部分１０ｂとは離れた位置に形成されている。例えば段差５０の高さＨｄは、４ｍｍ以上１０ｍｍ以下に形成する。また、段差５０と接合部分１０ｂとの距離Ｌｄは、１０ｍｍ以上に形成する。
【００３５】
以上のように本実施の形態２においては、室内機は、前面が開口した箱状の背面ケース１ｆと、背面ケース１ｆの前面に接合された前面ケース１ｅとを有する本体１を備え、背面ケース１ｆの下面１ｆｂの、背面ケース１ｆと前面ケース１ｅとの接合部分１０ｂとは離れた位置に、下方に突出した段差５０が形成されている。
このため、室内機を壁面１１ａに設置する際に作業者は段差５０に指を掛けて室内機を引き上げることができる。また、室内機を引き上げた状態で段差５０と壁面１１ａとの間に設置用の支え棒１４などを取り付けることができ、室内機を壁面１１ａから引き上げた状態を保持できる。よって、室内機を壁面１１ａに設置する際の作業性を向上することができる。従って、作業者による配管接続ミスなどを防止することができる。また、設置用の支え棒１４などで室内機を引き上げた状態に保持するので、一人での設置作業ができる。
また、背面ケース１ｆと前面ケース１ｅとの接合部分１０ｂに力が掛かることを抑制でき、前面ケース１ｅが背面ケース１ｆから外れることを抑制できる。
【００３６】
また本実施の形態２においては、段差５０の高さＨｄは、４ｍｍ以上１０ｍｍ以下である。
このため、段差５０に作業者の指を引っ掛けて、室内機を壁面１１ａから引き上げることができる。また、段差５０に設置用の支え棒１４などを引っ掛けて、室内機を壁面１１ａから引き上げた状態に保持できる。
【００３７】
また本実施の形態２においては、段差５０は、接合部分１０ｂよりも１０ｍｍ以上離れた位置に形成されている。
このため、背面ケース１ｆと前面ケース１ｅとの接合部分１０ｂに力が掛かることを抑制でき、前面ケース１ｅが背面ケース１ｆから外れることを抑制できる。
【００３８】
なお、段差５０は、背面ケース１ｆの幅方向に沿って延びるように形成されても良い。
これにより、室内機の本体１の幅方向の任意の位置において、作業者は段差５０に指を引っ掛けることができる。また、室内機の本体１の幅方向の任意の位置において、設置用の支え棒１４を取り付けることができる。
【００３９】
なお、段差５０は、背面ケース１ｆの幅方向の長さが、背面ケース１ｆの幅よりも短くても良い。また、段差５０は、背面ケース１ｆの幅方向に複数形成しても良い。
例えば、背面ケース１ｆの幅よりも短い２つの段差５０を、離して形成しても良い。段差５０の幅方向の長さを、例えば少なくとも作業者の１本分の指の幅程度の長さに形成しても良い。また、２つの段差５０を、背面ケース１ｆの幅方向の左右の端部近傍にそれぞれ設けることで、作業者が両手の指をそれぞれ段差５０に引っ掛けることができる。
【００４０】
なお、段差５０の一部のみが接合部分１０ｂと離れた位置に形成されていてもよい。例えば、背面ケース１ｆの幅方向に沿って延びる段差５０において、段差５０と接合部分１０ｂが奥行き方向で離れている部分と、段差５０と接合部分１０ｂが奥行き方向で一致している部分とがあってもよい。この場合、段差５０と接合部分１０ｂが奥行き方向で離れている部分において、上述した効果と同様の効果を奏することができる。
【００４１】
（変形例１）
図１４は、実施の形態２における空気調和機の室内機の変形例１を模式的に示す縦断面である。
背面ケース１ｆの下面１ｆｂに形成された段差５０の形状は、下方に垂直に突出した形状に限定されず、任意の形状とすることができる。例えば、図１４に示すように、段差５０の形状は、本体１の前面側に向かって傾斜した形状でも良い。また、段差５０は、断面が直線状に限らず、断面が曲線状に形成されていても良い。つまり、段差５０に作業者の指を引っ掛けることが可能な形状であればよい。また、段差５０に設置用の支え棒１４などを引っ掛けることが可能な形状であればよい。
このような構成においても上述した効果と同様の効果を奏することができる。
【００４２】
（変形例２）
図１５は、実施の形態２における空気調和機の室内機の変形例２を模式的に示す縦断面図である。
図１５に示すように、上述した段差５０に代えて、背面ケース１ｆの下面に、接合部分１０ｂの下端よりも上方に凹んだ溝６０を形成しても良い。
即ち、変形例２における空気調和機の室内機は、前面が開口した箱状の背面ケース１ｆと、背面ケース１ｆの前面に接合された前面ケース１ｅとを有する本体１を備え、背面ケース１ｆの下面１ｆｂの、背面ケース１ｆと前面ケース１ｅとの接合部分１０ｂとは離れた位置に、上方に凹んだ溝６０が形成されたものである。
このような構成においても、作業者の指又は設置用の支え棒１４などを溝６０に引っ掛けることができ、上述した効果と同様の効果を奏することができる。
【符号の説明】
【００４３】
１  本体、１ａ  前面、１ｂ  上面、１ｄ  背面、１ｅ  前面ケース、１ｅｂ  前面ケースの下面、１ｆ  背面ケース、１ｆｂ  背面ケースの下面、２ａ  吸込開口部、２ｂ  上部吸込口、３  吹出口、３ａ  ディフューザー、４ａ  上下風向ベーン、４ｂ  左右風向ベーン、５  フィルタ、６  前面グリル、７  熱交換器、８  ファン、９ａ  舌部、９ｂ  ドレンパン、１０  ガイドウォール、１０ａ  下アゴ部、１０ａ１  先端、１０ａ２  平坦部、１０ｂ  接合部分、１１  部屋、１１ａ  壁面、１２  冷媒配管、１３  据付板、１４  支え棒、２０  吹出気流、３０  誘引気流、５０  段差、６０  溝、Ｅ１  吸込側流路、Ｅ２  吹出側流路。
【図１】
2017033241.tif 000003
【図２】
2017033241.tif 000004
【図３】
2017033241.tif 000005
【図４】
2017033241.tif 000006
【図５】
2017033241.tif 000007
【図６】
2017033241.tif 000008
【図７】
2017033241.tif 000009
【図８】
2017033241.tif 000010
【図９】
2017033241.tif 000011
【図１０】
2017033241.tif 000012
【図１１】
2017033241.tif 000013
【図１２】
2017033241.tif 000014
【図１３】
2017033241.tif 000015
【図１４】
2017033241.tif 000016
【図１５】
2017033241.tif 000017
【手続補正書】
【提出日】平成29年11月27日(2017.11.27)
【手続補正１】
【補正対象書類名】明細書
【補正対象項目名】０００７
【補正方法】変更
【補正の内容】
【０００７】
本発明に係る空気調和機の室内機は、前面が開口した箱状の背面ケースと、前記背面ケースの前面に接合された前面ケースと、を有する本体を備え、前記前面ケースの下面に段差が形成され、前記段差は、前記背面ケースの下面と前記前面ケースの下面との接合部分とは離れた位置に、下方に突出して形成されたものである。
【手続補正２】
【補正対象書類名】特許請求の範囲
【補正対象項目名】全文
【補正方法】変更
【補正の内容】
【特許請求の範囲】
【請求項１】
前面が開口した箱状の背面ケースと、
前記背面ケースの前面に接合された前面ケースと、
を有する本体を備え、
前記前面ケースの下面に段差が形成され、
前記段差は、前記背面ケースの下面と前記前面ケースの下面との接合部分とは離れた位置に、下方に突出して形成された
空気調和機の室内機。
【請求項２】
前記段差は、前記前面ケースの幅方向に沿って延びるように形成された
請求項１に記載の空気調和機の室内機。
【請求項３】
前記段差は、前記前面ケースの幅方向の長さが、前記前面ケースの幅よりも短い
請求項１又は２に記載の空気調和機の室内機。
【請求項４】
前記段差は、前記前面ケースの幅方向に複数形成された
請求項１〜３の何れか一項に記載の空気調和機の室内機。
【請求項５】
前記本体の内部に設けられたファンを備え、
前記前面ケースの下面に、前記ファンから送風された空気を吹き出す吹出口が形成され、
前記前面ケースの下面の、前記段差と前記吹出口との間に、平坦に形成された平坦部を含む
請求項１〜４の何れか一項に記載の空気調和機の室内機。
【請求項６】
前面が開口した箱状の背面ケースと、
前記背面ケースの前面に接合された前面ケースと、
を有する本体を備え、
前記背面ケースの下面に段差が形成され、
前記段差は、前記背面ケースの下面と前記前面ケースの下面との接合部分とは離れた位置に、下方に突出して形成された
空気調和機の室内機。
【請求項７】
前記段差は、前記背面ケースの幅方向に沿って延びるように形成された
請求項６に記載の空気調和機の室内機。
【請求項８】
前記段差は、前記背面ケースの幅方向の長さが、前記背面ケースの幅よりも短い
請求項６又は７に記載の空気調和機の室内機。
【請求項９】
前記段差は、前記背面ケースの幅方向に複数形成された
請求項６〜８の何れか一項に記載の空気調和機の室内機。
【請求項１０】
前記段差の高さは、４ｍｍ以上１０ｍｍ以下である
請求項１〜９の何れか一項に記載の空気調和機の室内機。
【請求項１１】
前記段差は、前記接合部分よりも１０ｍｍ以上離れた位置に形成されている
請求項１〜１０の何れか一項に記載の空気調和機の室内機。
【国際調査報告】
2017033241.tif 000018
2017033241.tif 000019
2017033241.tif 000020
2017033241.tif 000021